(57)【要約】【課題】収容されるときには、ルーバはコンパクトであり、導風パネルが開いたときには、吹き出す風の流れを変えれるように、ルーバを必要な大きさにする。【解決手段】回動自在なルーバ１１は、風の流れ方向上流側に位置する第１補助ルーバ３０と、流れ方向下流側に位置する第２補助ルーバ３１とから構成され、両補助ルーバ３０、３１は２本のリンク３３、３４によって連結される。ルーバ１１の回動に連動して、第２補助ルーバ３１は、第１補助ルーバ３０から離れるように移動する。導風パネル１０が閉じているとき、第２補助ルーバ３１は、第１補助ルーバ３０に近接して、ルーバ１１全体がコンパクトになる。導風パネル１０が上開きすると、ルーバ１１が回動して、下向きになると、第２補助ルーバ３１は第１補助ルーバ３０から離れる。ルーバ１１全体の長さが長くなる。ルーバ１１に当たる風量が増え、吹き出される風の流れが大きく変わる。【選択図】図４
2010060223.tif 000002
【特許請求の範囲】
【請求項１】
キャビネットに、吹出口が形成され、キャビネットの一部が、吹出口からの風を室内空間に導く、上下両開き可能な導風パネルとされ、吹出口に、上下方向に回動するルーバが設けられ、ルーバは、風の流れ方向に沿って拡大可能な構造とされ、導風パネルが開いたとき、ルーバは、回動に伴って拡大することを特徴とする空気調和機。
【請求項２】
導風パネルが閉じているとき、ルーバは、最小の大きさとされ、導風パネルが上開きして、風を下方に導くとき、ルーバは最大の大きさとなることを特徴とする請求項１記載の空気調和機。
【請求項３】
ルーバは、複数の補助ルーバを組み合わせて構成され、各補助ルーバは、一体的に回動し、回動に連動して一部の補助ルーバを風の流れ方向下流側に向かって移動させる連動部が設けられ、補助ルーバが流れ方向下流側に向かって移動することにより、ルーバは拡大することを特徴とする請求項１または２記載の空気調和機。
【請求項４】
ルーバは、流れ方向上流側に位置する第１補助ルーバと、流れ方向下流側に位置する第２補助ルーバとから構成され、連動部は、第１補助ルーバに対して第２補助ルーバを移動可能に連結し、連動部は、ルーバの回動にしたがって第２補助ルーバを第１補助ルーバから離すことを特徴とする請求項３記載の空気調和機。
【請求項５】
第１補助ルーバと第２補助ルーバとは異なる軸周りに回動し、第１補助ルーバおよび第２補助ルーバのうち、いずれか一方の補助ルーバを回動させるためのモータが設けられ、一方の補助ルーバの回動により他方の補助ルーバが回動することを特徴とする請求項４記載の空気調和機。
【請求項６】
連動部は、第１補助ルーバと第２補助ルーバとを連結するリンクを有するリンク機構とされ、導風パネルが閉じているとき、第１補助ルーバと第２補助ルーバとは近接して配置され、ルーバの回動により、第１補助ルーバと第２補助ルーバとは互いに平行のまま離間することを特徴とする請求項４または５記載の空気調和機。
【請求項７】
第１補助ルーバと第２補助ルーバとの隙間をカバーするための第３補助ルーバが設けられ、第３補助ルーバは、第１補助ルーバに連動して移動することを特徴とする請求項４〜６のいずれかに記載の空気調和機。
【請求項８】
第３補助ルーバは、第２補助ルーバに一体的に形成されたことを特徴とする請求項７記載の空気調和機。
【請求項９】
導風パネルが下開きしたときのルーバの大きさは、導風パネルが上開きしたときのルーバの大きさより小とされることを特徴とする請求項２記載の空気調和機。
【発明の詳細な説明】
【技術分野】
【０００１】
本発明は、吹出口から吹き出す風の向きを変えるルーバを有する空気調和機に関する。
【背景技術】
【０００２】
空気調和機の室内ユニットには、キャビネットの前面に吹出口が形成され、吹出口から温風あるいは冷風が吹き出される。冷暖房運転に応じて、吹き出す風の向きを切り換えるルーバが設けられる。
【０００３】
例えば、特許文献１には、１つのルーバを２つの可動軸で支持し、可動軸を上下および前後に移動させて、ルーバの姿勢を変えることが記載されている。また、特許文献２には、複数のルーバを設けて、風の吹き出す方向に応じて、各ルーバの上下方向の向きを変えることが記載されている。
【特許文献１】特開平９−２０３５５４号公報
【特許文献２】特開２００４−６１０４４号公報
【発明の開示】
【発明が解決しようとする課題】
【０００４】
吹出口から吹き出す風の方向を大きく変えたい場合、風が当たるルーバの面積が大きいほど、効率よく風の流れ方向を変えることができる。すなわち、風の流れ方向に対するルーバの大きさを長くすればよい。
【０００５】
ところで、空気調和機の運転停止時には、ルーバは閉じた状態になり、吹出口を塞ぐ。ルーバが１つの場合、ルーバを長くすると、閉じたときに吹出口に収まりきらず、キャビネットからはみ出してしまうおそれがある。また、ルーバが複数の場合、ルーバはコンパクトになり、閉じたときに吹出口に収まるようにはなっているが、個々のルーバの長さが短くなり、風の方向を変更するという機能を十分に発揮できないおそれがある。
【０００６】
特に、本出願人による特願２００７−２７４６７９号に記載された空気調和機では、キャビネットの一部を導風パネルにして、導風パネルが吹出口を開閉する構造とされ、吹出口にルーバが回動自在に設けられる。この空気調和機では、導風パネルが閉じたときに、ルーバが邪魔にならないよう、ルーバをコンパクトにする必要がある。しかし、ルーバが短くなってしまうので、風向きを大きく変更する際には、ルーバの機能を十分に果たすことができない。
【０００７】
本発明は、上記に鑑み、閉じたときにはコンパクトでありながら、開いたときには必要な大きさとなるルーバを有する空気調和機の提供を目的とする。
【課題を解決するための手段】
【０００８】
本発明は、キャビネットに、吹出口が形成され、キャビネットの一部が、吹出口からの風を室内空間に導く、上下両開き可能な導風パネルとされ、吹出口に、上下方向に回動するルーバが設けられ、ルーバは、風の流れ方向に沿って拡大可能な構造とされ、導風パネルが開いたとき、ルーバは、回動に伴って拡大するものである。
【０００９】
ルーバが拡大することにより、ルーバに当たる風量が増え、吹き出した風の流れ方向を大きく変えることが可能となる。導風パネルが閉じているとき、ルーバは、最小の大きさとしてもよい。導風パネルが上開きして、風を下方に導くとき、ルーバは最大の大きさとしてもよい。また、導風パネルが下開きしたときのルーバの大きさは、導風パネルが上開きしたときのルーバの大きさより小とされる。
【００１０】
導風パネルが閉じているとき、ルーバは導風パネルと吹出口との間、または吹出口内部に収容されるようにしてもよい。このとき、ルーバはコンパクトになっている。導風パネルが上開きしたとき、ルーバは下向きに回動して、吹き出された風が導風パネルに当たる前に、大きくなったルーバは風を下方に導く。このように、ルーバは風の流れを大きく変えることができる。
【００１１】
ルーバは、複数の補助ルーバを組み合わせて構成してもよい。例えば、各補助ルーバは、一体的に回動し、回動に連動して一部の補助ルーバを風の流れ方向下流側に向かって移動させる連動部が設けられる。連動部によって、一部の補助ルーバが流れ方向下流側に向かって移動することにより、ルーバは拡大する。
【００１２】
ルーバは、例えば、流れ方向上流側に位置する第１補助ルーバと、流れ方向下流側に位置する第２補助ルーバとから構成される。連動部は、第１補助ルーバに対して第２補助ルーバを移動可能に連結し、連動部は、ルーバの回動にしたがって第２補助ルーバを第１補助ルーバから離す。
【００１３】
第１補助ルーバと第２補助ルーバが近接しているとき、ルーバはコンパクトになる。第２補助ルーバが移動して、第１補助ルーバから離れると、ルーバが伸びたことになる。
【００１４】
第１補助ルーバと第２補助ルーバとは異なる軸周りに回動し、第１補助ルーバおよび第２補助ルーバのうち、いずれか一方の補助ルーバを回動させるためのモータが設けられ、一方の補助ルーバの回動により他方の補助ルーバが回動するようにしてもよい。両補助ルーバは連結されているので、一方の補助ルーバの回動に伴って、他方の補助ルーバも回動する。
【００１５】
連動部は、例えば、第１補助ルーバと第２補助ルーバとを連結するリンクを有するリンク機構とされる。導風パネルが閉じているとき、第１補助ルーバと第２補助ルーバとは近接して配置され、ルーバの回動により、第１補助ルーバと第２補助ルーバとは互いに平行のまま近接離間する。
【００１６】
第１補助ルーバと第２補助ルーバとの隙間をカバーするための第３補助ルーバが設けられ、第３補助ルーバは、第１補助ルーバに連動して移動するようにしてもよい。第３補助ルーバは、第２補助ルーバに一体的に形成してもよい。
【００１７】
第２補助ルーバは第１補助ルーバから離れるので、両補助ルーバの間に隙間が生じる。この隙間が第３補助ルーバによってカバーされるので、ルーバに当たった風が隙間から洩れることを防止できる。２つの補助ルーバが離れることによって拡大するルーバにおいて、第３補助ルーバは、風の流れ方向を効率よく変えるのに大いに寄与する。
【発明の効果】
【００１８】
本発明によると、ルーバを拡大可能な構造にすることにより、使用状況に応じて最良の大きさにできる。そのため、空気調和機が停止しているときには、ルーバはコンパクトになって、狭いスペースでも収容できる。空気調和機の運転中には、ルーバは大きくなって、風向きを変えるというルーバ本来の機能を十二分に発揮させることができる。
【発明を実施するための最良の形態】
【００１９】
本実施形態の空気調和機の室内ユニットを図１、２に示す。室内ユニットは、熱交換器１および室内ファン２を備え、これらがキャビネット３に内装されている。キャビネット３は、高さよりも奥行きが長い箱状に形成され、前面から底面にかけて湾曲面とされる。キャビネット３の上面に吸込口４が形成され、湾曲面に吹出口５が形成される。
【００２０】
キャビネット３の内部には、吸込口４から吹出口５に至る空気通路６が形成され、この空気通路６に熱交換器１と室内ファン２とが配設される。吸込口５と熱交換器１との間に、フィルタが配され、吸込口４から吸込んだ室内の空気から塵埃を除去する。このフィルタを清掃する清掃装置７が設けられる。清掃装置７は、キャビネット３内でフィルタを移動させて、フィルタに付着した塵埃を除去する。
【００２１】
キャビネット３の湾曲面には、吹出口５を開閉する導風パネル１０が設けられる。図３、４に示すように、導風パネル１０は、上下両開き可能とされ、導風パネル１０を開閉する開閉機構が設けられる。
【００２２】
そして、導風パネル１０によって塞がれる吹出口５に、風向きを変えるルーバ１１および風向板１２が設けられる。ルーバ１１は、上下方向に回動可能とされ、導風パネル１０の開閉に応じて回動して、上下方向に角度を変える。ルーバ１１は、吹き出される風を整流しながら風向きを上下方向に変える。風向板１２は、左右方向に角度を変えて、風向きを左右方向に変える。ルーバ１１は、風向板１２よりも前方（風の流れ方向下流側）に配置される。
【００２３】
導風パネル１０は、湾曲した１枚のパネルによって形成され、導風パネル１０の幅は、キャビネット３の幅と同寸とされ、吹出口５の幅より大とされる。そして、キャビネット３の前面には、前面の中段部分から底面にかけて、一段低くなるように前パネル１３が形成される。これによって、幅方向全体に凹部が形成され、凹部に導風パネル１０が嵌るようになっている。凹部を形成する前パネル１３に開口が形成され、この開口が吹出口５である。そのため、導風パネル１０は、吹出口５よりも前方に位置することになり、吹出口５および吹出口５の周囲の前パネル１３を覆う。このとき、導風パネル１０は図２に示す閉姿勢となる。この閉姿勢において、ルーバ１１は、導風パネル１０と風向板１２との間に形成される空間に収容される。
【００２４】
このように、導風パネル１０の外面がキャビネット３の前面から底面に至る滑らかな湾曲面を構成する。すなわち、導風パネル１０が、キャビネット３の前面の一部を構成する部材となる。キャビネット３のパネルの一部を導風パネル１０として利用することによって、導風パネル１０は、従来の空気調和機に採用されているルーバに比べて全長が長いロングパネルとなる。
【００２５】
導風パネル１０は、上下の軸を中心にして、異なる方向に回動することにより、上下いずれかの方向に開く。図３に示すように、導風パネル１０は、冷房運転時には下軸１４周りに下開きする。この下開き姿勢のとき、導風パネル１０は、吹出口５の下壁とつながり、導風パネル１０と吹出口５の上壁とによってロングノズルが形成される。導風パネル１０は、冷風を斜め上方向に導き、冷風が天井に沿って吹き出す。
【００２６】
図４に示すように、暖房運転時には上軸１５周りに上開きする。この上開き姿勢のとき、導風パネル１０は、吹出口５の前方を遮蔽し、前方に向かって吹き出される温風を押さえ込み、温風を床面方向に導く。なお、冷房運転の初期時にも、導風パネル１０は上開き姿勢とされ、冷風が床面方向に吹き出され、急速冷房が行われる。導風パネル１０は、図２に示すように、運転停止時には閉姿勢となり、吹出口５を覆って、キャビネット３と一体化する。
【００２７】
導風パネル１０の開閉機構は、導風パネル１０をキャビネット３に対して近接離間させる移動部と、導風パネル１０が移動するときに導風パネル１０の開く方向を規制する規制部とからなる。
【００２８】
導風パネル１０を開くとき、移動部は、導風パネル１０をキャビネット３から離れる方向に移動させる。このとき、規制部は、上開きあるいは下開きのいずれか一方の開きを許容し、他方の開きを規制することによって、導風パネル１０の開く方向を切り換える。下開きが規制されると、導風パネル１０は上開きする。逆に、上開きが規制されると、導風パネル１０は下開きする。導風パネル１０を閉じるとき、移動部は、導風パネル１０をキャビネット３に近づく方向に移動させる。
【００２９】
すなわち、規制部は、上軸１５あるいは下軸１４を移動しないようにロックすることによって、開く方向を規制する。下開きするときは、下軸１４がロックされる。上開きするときは、上軸１５がロックされる。
【００３０】
また、規制部は、導風パネル１０を閉姿勢に保持する機能を有する。閉姿勢の導風パネル１０は、キャビネット３の前パネル１３に近接している。このとき、規制部は、上軸１５および下軸１４をロックする。導風パネル１０を引き離そうとする外力がかかっても、両軸１４、１５がロックされているので、導風パネル１０は動かない。
【００３１】
なお、図示しないが、規制部は、上下軸１４、１５を保持する上下一対のフック、各フックの動作を規制して、開く方向を切り換える切換部、各フックを連動して動作させる連動部、連動部を駆動する駆動部を備える。移動部は、導風パネル１０を保持するロッド、ロッドをキャビネット３から出し入れする移動機構部、移動機構部を駆動する駆動部を備える。規制部および移動部の構成は、本出願人による特願２００７−２７４６４９号の段落００５７〜００７６に記載されているものと同じである。
【００３２】
空気調和機では、室内ユニットに対して図示しない室外ユニットが室外に設置されている。室外ユニットには、圧縮機、熱交換器、四方弁、室外ファン等が内装され、これらと室内側の熱交換器１とによって冷凍サイクル２０が形成される。そして、図５に示すように、冷凍サイクル２０を制御する制御装置２１が室内ユニットに設けられる。マイコンからなる制御装置２１は、ユーザの指示および室温や外気温を検出する温度センサ等の各種のセンサ２２の検出信号に基づいて、冷凍サイクル２０を制御し、冷暖房運転を行う。このとき、制御装置２１は、冷暖房運転に応じて移動部の開閉モータ２３および規制部の規制モータ２４を制御し、導風パネル１０を開閉する。また、制御装置２１は、ルーバ１１を回動するためのルーバモータ２５を制御し、導風パネル１０の開閉に応じてルーバ１１を回動する。
【００３３】
ここで、本空気調和機では、吹き出す風の方向を大きく変えることができるように、図６に示すように、ルーバ１１は、風の流れ方向に沿って拡大可能な構造とされる。導風パネル１０が開いたとき、ルーバ１１は、回動に伴って流れ方向に大きくなる。すなわち、ルーバ１１は、下向きになるほど流れ方向下流側に向かって長くなる。
【００３４】
ルーバ１１は、２つの補助ルーバ３０、３１を組み合わせて構成され、流れ方向上流側に位置する第１補助ルーバ３０と、下流側に位置する第２補助ルーバ３１とからなり、両補助ルーバ３０、３１は、一体的に回動する。そして、ルーバ１１の回動に連動して、第２補助ルーバ３１を流れ方向下流側に向かって移動させる連動部３２が設けられる。連動部３２は、２本のリンク３３、３４によって第１補助ルーバ３０と第２補助ルーバ３１とを連結した平行リンク機構とされる。連動部３２によって、第２補助ルーバ３１は、第１補助ルーバ３０に対して近接離間する。離間することにより、ルーバ１１は拡大する。
【００３５】
第２補助ルーバ３１に、第３補助ルーバ３５が一体的に形成される。第３補助ルーバ３５は、第１補助ルーバ３０と第２補助ルーバ３１とが離れたときにできる隙間をカバーする。
【００３６】
３つの補助ルーバ３０、３１、３５は、左右方向に長い板状に形成される。第１補助ルーバ３０の後端および第２補助ルーバ３１の前端が先細に形成され、第１補助ルーバ３０の前端および第２補助ルーバ３１の後端は、傾斜面に形成される。図６（ａ）に示すように、両補助ルーバ３０、３１が近接しているとき、互いの傾斜面が合わさり、１つのルーバ１１のようになって、段差ができない。
【００３７】
第１、第２補助ルーバ３０、３１の左右方向の両端がキャビネット３に回転自在に支持される。図７に示すように、第１補助ルーバ３０の左右両端にリブ４０が突設され、リブ４０の後端側に回動軸４１が形成される。回動軸４１は、吹出口５の側壁５ａに取り付けられた後リンク３３に回転自在に支持される。後リンク３３にボス４３が形成され、回動軸４１がボス４３に挿入されることにより、回動軸４１は回転自在に支持される。後リンク３３のボス４３は、吹出口５の側壁５ａに嵌め込まれる。これにより、後リンク３３は、キャビネット３に対して着脱可能に取り付けられる。
【００３８】
第２補助ルーバ３１の左右方向の両端にリブ４５が突設され、リブ４５の後端側に回動軸４６が形成される。回動軸４６は、後リンク３３に回転自在に支持される。第２補助ルーバ３１の回動軸４６は、第１補助ルーバ３０の回動軸４１の斜め下後方に位置する。このように、後リンク３３により、両回動軸４１、４６は、それぞれ回動可能に保持されるが、それぞれの位置は拘束される。第１補助ルーバ３０と第２補助ルーバ３１とは、キャビネット３に対してそれぞれ異なる回動軸周りに回動する。
【００３９】
第１補助ルーバ３０の前端側に支軸４７が突設され、第２補助ルーバ３１の前端側にも支軸４８が突設される。両支軸４７、４８は、前リンク３４に回転自在に嵌め込まれる。第２補助ルーバ３１の支軸４８は、第１補助ルーバ３０の支軸４７の斜め下後方に位置する。
【００４０】
両回動軸４１、４６間の距離と両支軸４７、４８間の距離とは同じとされ、両リンク３３、３４は常に平行な運動をする。また、第２補助ルーバ３１の回動軸４６から前端までの長さは、第１補助ルーバ３０の回動軸４１から前端までの長さよりも大である。
【００４１】
第１補助ルーバ３０の左右方向の一方の回動軸４１に、ルーバモータ２５が接続される。ルーバモータ２５は、キャビネット３内に設けられ、ルーバモータ２５が、回動軸４１に直接接続される、あるいは減速ギアを介して接続される。なお、第２補助ルーバ３１の回動軸４６にルーバモータ２５を接続してもよい。
【００４２】
ルーバモータ２５の駆動により、回動軸４１が回転して、第１補助ルーバ３０が回動する。これに伴って、２本のリンク３３、３４によって連結された第２補助ルーバ３１が、第１補助ルーバ３０に連動して回動する。ルーバ１１が下向きになるように回動するにつれて、第２補助ルーバ３１は第１補助ルーバ３０から離れるように移動する。回動角度が小さいときは、第２補助ルーバ３１は、第１補助ルーバ３０に対して下方に向かって離れるが、風の流れ方向にはほとんど離れていない。
【００４３】
さらに、ルーバ１１が回動すると、各リンク３３、３４と第２補助ルーバ３０との位置関係が変化する。前リンク３４に対して、第２補助ルーバ３１の支軸４８は後側にあったのが、前側に変わる。第２補助ルーバ３１は、前リンク３４によって前側に押されるように移動し、前側に向かって第１補助ルーバ３０から徐々に離れていく。
【００４４】
このようにして、第１補助ルーバ３０の後端から第２補助ルーバ３１の前端までの長さが長くなり、その結果、ルーバ１１の全長が伸びたことになる。１つのモータ２５によって、ルーバ１１の回動とルーバ１１の伸縮を行うことができ、部品点数を増やさずに性能アップを図れる。
【００４５】
ルーバ１１は、導風パネル１０の開閉に応じて回動する。制御装置２１は、冷房、暖房等の運転に応じて導風パネル１０を開くとき、予め決められたタイミングにしたがって、各モータ２３、２４、２５を駆動する。導風パネル１０を閉じるときも、同様である。すなわち、開閉モータ２３、規制モータ２４およびルーバモータ２５は、シーケンス制御される。
【００４６】
運転が停止しているとき、図２に示すように、導風パネル１０は閉姿勢にある。このとき、ルーバ１１は、収容姿勢にあり、最も小さい状態になっている。すなわち、図６（ａ）に示すように、第１補助ルーバ３０と第２補助ルーバ３１とは近接し、両リンク３３、３４も畳まれた状態になっている。そのため、第１補助ルーバ３０と第２補助ルーバ３１とが連なって、１つのルーバ１１の如き状態となって、ルーバ１１はコンパクトなサイズとなる。したがって、導風パネル１０が閉じたときに形成される吹出口５の出口付近の空間にルーバ１１を収めることができる。
【００４７】
冷房運転が行われるとき、導風パネル１０は下開きする。閉姿勢の導風パネル１０が開いた後、ルーバ１１が下に向かって回動を始める。第１補助ルーバ３０が軸周りに回動すると、リンク３３、３４に押されて第２補助ルーバ３１が移動し、第２補助ルーバ３１は軸周りに回動する。図３に示すように、導風パネル１０が下開き姿勢になると、ルーバ１１は、予め決められたタイミングで停止し、図６（ｃ）に示すように、水平よりも少し上向きの状態まで回動した水平姿勢となる。このとき、第２補助ルーバ３１は、第１補助ルーバ３０から少し離れている。ただし、第２補助ルーバ３１は第１補助ルーバ３０から下方に離れただけであるので、ルーバ１１の全長としては、あまり変化していない。
【００４８】
吹出口５から吹き出された冷風は、導風パネルに沿って流れ、天井に沿うように斜め上方向に導かれる。この風の流れ方向に対して、第１〜第３補助ルーバ３０、３１、３５は、ほぼ平行となっているので、風の流れを妨げることはなく、吹出口５から吹き出される風を遠方まで導く。なお、ルーバ１１全体では、上側に少し湾曲した形状となっているので、ルーバ１１に沿って水平に流れる風により、上方に広がる風が抑え込まれる。これにより、吹き出された風は拡散しなくなり、強い気流を生むことができ、遠方まで風を運べる。
【００４９】
冷房運転が終了すると、まずルーバ１１が逆方向に回動して、所定のタイミングで停止して、収容姿勢となる。なお、ルーバ１１に対してストッパを設けておくことにより、ルーバ１１を常に収容姿勢にすることができる。その後、導風パネル１０が閉じ、閉姿勢となる。ルーバ１１が収容姿勢になるとき、第１、第２補助ルーバ３０、３１の互いに近接する端面が傾斜しているので、振動等によって補助ルーバ３０、３１同士がぶれて、接触しても、傾斜面によって両補助ルーバ３０、３１が案内されて、スムーズに近接した状態になる。
【００５０】
暖房運転が行われるとき、導風パネル１０は上開きする。導風パネル１０が開いた後、ルーバ１１が下に向かって回動し、所定のタイミングで停止する。図４に示すように、導風パネル１０が上開き姿勢のとき、ルーバ１１は、図６（ｂ）に示すように、下向きになった拡大姿勢となる。
【００５１】
すなわち、第２補助ルーバ３１は、流れ方向下流側に向かって移動し、第１補助ルーバ３０から大きく離れる。第２補助ルーバ３１は、第１補助ルーバ３０の湾曲面に沿った延長線上に位置する。ルーバ１１の大きさとして、風の流れ方向において最大となる。また、ルーバ１１が拡大姿勢のとき、第３補助ルーバ３５は、第１補助ルーバ３０と第２補助ルーバ３１との間の隙間に対向して位置する。なお、導風パネル１０は、最大限まで開いていない。また、導風パネル１０の上開き姿勢での開き角度と、ルーバ１１の回動角度とは、手動によって調整することができる。
【００５２】
吹出口５から吹き出された温風は、導風パネル１０に向かって流れるが、拡大したルーバ１１に当たって、温風の流れ方向が変えられる。すなわち、温風は、第１〜第３補助ルーバ３０、３１、３５に当たり、各補助ルーバ３０、３１、３５に沿って流れ、流れ方向が下向きに変えられる。第１補助ルーバ３０と第２補助ルーバ３１との間に隙間ができるが、第３補助ルーバ３５が手前にあるので、隙間に向かう風は第３補助ルーバ３５に当たる。そのため、風がこの隙間を通り抜けることはない。
【００５３】
暖房運転が終了すると、ルーバ１１が逆方向に回動して、収容姿勢となる。その後、導風パネル１０が閉じ、閉姿勢となる。また、急速冷房運転のときも当初は、導風パネル１０は上開き姿勢となり、その後、一旦閉じてから、下開き姿勢となる。このとき、ルーバ１１も上記の通り動作する。
【００５４】
ここで、図８に、従来の拡大しない構造のルーバ５０を用いた空気調和機を示す。暖房運転時に、導風パネル１０が上開きして、ルーバ５０が同じように下向きになっている。ただし、ルーバ５０の流れ方向の長さは、収容姿勢のときは本願のルーバ１１と同じであるが、拡大姿勢にあるときの本願のルーバ１１よりも短い。そのため、ルーバ５０に当たる風は少なくなり、風を押え込む効果が低減する。しかも、ルーバ５０に当たらずに導風パネル１０に達する風も存在する。そのため、ルーバ５０に当たって下方に流れる風に、導風パネル１０に当たって戻ってきた風が巻き込まれ、風の流れが乱れる。したがって、斜め下に向かう風が弱くなってしまい、風が床まで到達しなくなり、効率的な暖房運転ができなくなる。
【００５５】
一方、ルーバ１１が拡大することにより、風の当たる面積が増え、ルーバ１１による風の押え込み効果を高めることができ、風の流れ方向を大きく変えるのに好適となる。しかも、ルーバ１１はコンパクトになるので、収容するときに余分なスペースを必要とせず、既存の導風パネルを有する空気調和機に適応可能である。
【００５６】
他の形態の連動部として、図９に示すように、第１補助ルーバ３０および第２補助ルーバ３１の左右方向の中間部分に、中間リンク５０が設けられる。中間リンク５０の後端側に後軸５１が形成されている。第２補助ルーバ３１に、中間リブ５２が突設される。中間リブ５２は、左右一対の平板であり、この間に中間リンク５０が配される。中間リブ５２の後端側に、後軸５１が回転自在に嵌め込まれる。
【００５７】
第１補助ルーバ３０に、前軸５３を有する中間リブ５４が形成されている。中間リンク５０の前端側に、前軸５３が回転自在に嵌め込まれる。前軸５３は、支軸４７と同軸上にあり、後軸５１は、支軸４８と同軸上にある。前軸５３と後軸５１との間の距離と両支軸４７、４８間の距離とは同じとされ、ルーバ１１の回動に伴って、前リンク３４と中間リンク５０とは常に同じ運動をする。
【００５８】
また、他の形態の連動部を図１０に示す。中間リンク５０に関連する部材の構成は、図９に示したものと同じである。ここでは、前軸５３は、回動軸４１と同軸上にあり、後軸５１は、回動軸４６と同軸上にある。前軸５３と後軸５１との間の距離と両回動軸４１、４６間の距離とは同じとされ、ルーバ１１が回動しても、中間リンク５０動かない。
【００５９】
上記のような中間リンク５０を有する構造にすることにより、ルーバ１１の自重による反りを緩和でき、ルーバ１１の動きを安定させることが可能となる。これに伴い、ルーバ１１における回動軸、支軸の４つの軸の位置関係を前後方向において任意に設定でき、各補助ルーバ３０、３１の前後方向の長さを適切に設定することが可能となる。特に、ルーバ１１が左右方向に分割される場合、中間リンク５０を設けるとよい。
【００６０】
なお、本発明は、上記実施形態に限定されるものではなく、本発明の範囲内で上記実施形態に多くの修正および変更を加え得ることは勿論である。連動部として、ラックピニオンを利用してもよい。一方の補助ルーバが、他方の補助ルーバにスライド自在に支持され、ラックが設けられる。ルーバモータに接続されたピニオンがラックに噛み合い、ルーバモータの駆動により、ルーバが回動するとともに、ピニオンが回転して、ラックが移動する。一方の補助ルーバがスライドすることによって、ルーバが伸びる。
【００６１】
ルーバとして、前側ルーバと後側ルーバとに分割し、両ルーバを伸縮自在な伸縮部材で連結する。伸縮部材は、蛇腹状の板あるいは弾性を有する軟質な平板とする。そして、ルーバの回動に伴って、軸周りに回動するレバーを前側ルーバに連結する。ルーバが回動すると、レバーが回動して、前側ルーバを押したり、あるいは引っ張ったりすることにより、伸縮部材が伸びて、前側ルーバが流れ方向下流側に向かって移動する。また、伸縮部材として、形状記憶部材を用いてもよい。形状記憶部材の元の形状を伸びた状態とする。温風によって形状記憶部材が元の形状に回復することにより、形状記憶部材は伸びる。
【図面の簡単な説明】
【００６２】
【図１】本発明の空気調和機の室内ユニットの斜視図
【図２】導風パネルが閉まっているときの室内ユニットの概略断面図
【図３】導風パネルが下開きしたときの室内ユニットの概略断面図
【図４】導風パネルが上開きしたときの室内ユニットの概略断面図
【図５】空気調和機の制御ブロック図
【図６】（ａ）は収容姿勢のルーバの概略断面図、（ｂ）は拡大姿勢のルーバの概略断面図、（ｃ）は水平姿勢のルーバの概略断面図
【図７】連動部の構成を示す図
【図８】従来のルーバを有する空気調和機において、導風パネルが上開きしたときの室内ユニットの概略断面図
【図９】他の形態の連動部の構成を示す図
【図１０】他の形態の連動部の構成を示す図
【符号の説明】
【００６３】
３    キャビネット
５    吹出口
１０    導風パネル
１１    ルーバ
２５    ルーバモータ
３０    第１補助ルーバ
３１    第２補助ルーバ
３２    連動部
３３    後リンク
３４    前リンク
３５    第３補助リンク
４１    回動軸
４６    回動軸
４７    支軸
４８    支軸
【図１】
2010060223.tif 000003
【図２】
2010060223.tif 000004
【図３】
2010060223.tif 000005
【図４】
2010060223.tif 000006
【図５】
2010060223.tif 000007
【図６】
2010060223.tif 000008
【図７】
2010060223.tif 000009
【図８】
2010060223.tif 000010
【図９】
2010060223.tif 000011
【図１０】
2010060223.tif 000012